(57)【要約】【課題】  プロテクト部材やビスを用いずに、外装部材を腕時計ケースに確実に固定できる。【解決手段】  腕時計ケース１の外周面に緩衝体を介してベゼル２を配置し、腕時計ケース１の一対のケース側取付凸部６、６間にベゼル２のベゼル側取付凸部１１を配置すると共に、一対のケース側取付凸部６、６に設けられたケース側取付孔８、８とベゼル側取付凸部１１に設けられたベゼル側取付孔１２とを対応させ、この状態でばね棒７をケース側取付孔８、８とベゼル側取付孔１２とに挿入させると、ベゼル側取付孔１２に設けられたストレート部によってばね棒７がベゼル２を腕時計ケース１に装着させる方向に向けて位置規制される。このため、このばね棒７を一対のケース側取付孔８、８とベゼル側取付孔１２とにガタつくことなく挿入させることができ、これによりベゼル２を腕時計ケース１に緩衝体を挟み付けた状態で固定できる。【選択図】        図３
2005070002.tif 000002
【特許請求の範囲】
【請求項１】
外周面に設けられた一対のケース側取付凸部にケース側取付孔が互いに対応して設けられた腕時計ケースと、
この腕時計ケースの外表面に装着され、前記一対のケース側取付凸部の間に配置される外装側取付凸部に外装側取付孔が前記一対のケース側取付孔に対応して設けられた外装部材と、
前記腕時計ケースの前記ケース側取付孔と前記外装部材の前記外装側取付孔とに挿入して前記外装部材を前記腕時計ケースに固定する固定部材とを備え、
前記腕時計ケースと前記外装部材との間には緩衝体が配置されていると共に、前記外装側取付孔の一部には、前記外装部材が前記腕時計ケースに装着する方向に向けて前記固定部材を位置規制するためのストレート部が設けられていることを特徴とする腕時計における外装部材の固定構造。
【請求項２】
外周面に設けられた一対のケース側取付凸部にケース側取付孔が互いに対応して設けられた腕時計ケースと、
この腕時計ケースの外表面に装着され、前記一対のケース側取付凸部の間に配置される外装側取付凸部に外装側取付孔が前記一対のケース側取付孔に対応して設けられた外装部材と、
前記腕時計ケースの前記ケース側取付孔と前記外装部材の前記外装側取付孔とに挿入して前記外装部材を前記腕時計ケースに固定する固定部材とを備え、
前記腕時計ケースと前記外装部材との間には、少なくとも一部が前記外装部材の外部に露呈する装飾部材が配置されていると共に、前記外装側取付孔の一部には、前記外装部材が前記腕時計ケースに装着する方向に向けて前記固定部材を位置規制するためのストレート部が設けられていることを特徴とする腕時計における外装部材の固定構造。
【請求項３】
前記装飾部材には押釦スイッチが設けられていることを特徴とする請求項２に記載の腕時計における外装部材の固定構造。
【請求項４】
前記腕時計ケースの前記一対のケース側取付凸部には時計バンドが前記固定部材によって取り付けられることを特徴とする請求項１〜３のいずれかに記載の腕時計における外装部材の固定構造。
【発明の詳細な説明】
【技術分野】
【０００１】
この発明は、腕時計ケースに外装部材を固定する腕時計における外装部材の固定構造に関する。
【背景技術】
【０００２】
従来、腕時計においては、腕時計ケースの外周面に外装部材であるベゼルを装着し、このベゼルを腕時計ケースにプロテクト部材によって固定したものがある。このような腕時計における外装部材の固定構造は、プロテクト部材の一端部を腕時計ケースの下面に取り付けられた裏蓋と時計バンドの一部である先カンカバーとの間に回転可能に取り付け、このプロテクト部材の一端部を中心にプロテクト部材を回動させ、このプロテクト部材の他端部に設けられた緩衝部を腕時計ケースの上面に取り付けられた時計ガラスの上面に押し付けることにより、ベゼルを腕時計ケースに固定している。
【０００３】
しかしながら、このような腕時計における外装部材の固定構造では、ビスなどを用いずに、ベゼルを腕時計ケースに固定することはできても、プロテクト部材が必要であるため、プロテクト部材を用いない腕時計には適用することができないという問題がある。
なお、ビスを用いてベゼルを腕時計ケースに固定する外装部材の固定構造では、複数のビスでベゼルを腕時計ケースに固定する必要があるため、そのビス止め作業が面倒であるという問題がある。
【特許文献１】特開２００１−１１６８５９号公報
【発明の開示】
【発明が解決しようとする課題】
【０００４】
この発明が解決しようとする問題点は、プロテクト部材やビスを用いなければ、外装部材を腕時計ケースに確実に固定することができない点にある。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図８に示すように、外周面に設けられた一対のケース側取付凸部（６、６）にケース側取付孔（８、８）が互いに対応して設けられた腕時計ケース（１）と、この腕時計ケースの外表面に装着され、前記一対のケース側取付凸部の間に配置される外装側取付凸部（ベゼル側取付凸部１１）に外装側取付孔（ベゼル側取付孔１２）が前記一対のケース側取付孔に対応して設けられた外装部材（ベゼル２）と、前記腕時計ケースの前記ケース側取付孔と前記外装部材の前記外装側取付孔とに挿入して前記外装部材を前記腕時計ケースに固定する固定部材（ばね棒７）とを備え、
前記腕時計ケースと前記外装部材との間には緩衝体（１４）が配置されていると共に、前記外装側取付孔の一部には、前記外装部材が前記腕時計ケースに装着する方向に向けて前記固定部材を位置規制するためのストレート部（１３）が設けられていることを特徴とする腕時計における外装部材の固定構造である。
【０００７】
請求項２に記載の発明は、図９〜図１１に示すように、外周面に設けられた一対のケース側取付凸部（２６、２６）にケース側取付孔（２７、２７）が互いに対応して設けられた腕時計ケース（２０）と、この腕時計ケースの外表面に装着され、前記一対のケース側取付凸部の間に配置される外装側取付凸部（ベゼル側取付凸部３０）に外装側取付孔（ベゼル側取付孔３１）が前記一対のケース側取付孔に対応して設けられた外装部材（ベゼル２１）と、前記腕時計ケースの前記ケース側取付孔と前記外装部材の前記外装側取付孔とに挿入して前記外装部材を前記腕時計ケースに固定する固定部材（ばね棒２３）とを備え、
前記腕時計ケースと前記外装部材との間には、少なくとも一部が前記外装部材の外部に露呈する装飾部材（２２）が配置されていると共に、前記外装側取付孔の一部には、前記外装部材が前記腕時計ケースに装着する方向に向けて前記固定部材を位置規制するためのストレート部（３２）が設けられていることを特徴とする腕時計における外装部材の固定構造である。
【０００８】
請求項３に記載の発明は、図１２および図１３に示すように、前記装飾部材（４０）に押釦スイッチ（４１）が設けられていることを特徴とする請求項２に記載の腕時計における外装部材の固定構造。
【０００９】
請求項４に記載の発明は、図１〜図１３に示すように、前記腕時計ケース（１、２０）の前記一対のケース側取付凸部（６、２６）に時計バンド（１５）が前記固定部材（ばね棒７、２３）によって取り付けられることを特徴とする請求項１〜３のいずれかに記載の腕時計における外装部材の固定構造である。
【発明の効果】
【００１０】
請求項１に記載の発明によれば、腕時計ケースの外周面に緩衝体を介して外装部材を配置し、腕時計ケースの一対のケース側取付凸部の間に外装部材の外装側取付凸部を配置すると共に、一対のケース側取付凸部の各ケース側取付孔と外装側取付凸部の外装側取付孔とを対応させ、この状態で腕時計ケースの一対のケース側取付孔と外装部材の外装側取付孔とに固定部材を挿入させると、外装側取付孔に設けられたストレート部によって固定部材が外装部材を腕時計ケースに装着する方向に向けて位置規制されるので、固定部材を一対のケース側取付孔と外装側取付孔とにガタつくことなく挿入させることができ、これにより外装部材を腕時計ケースに緩衝体を挟み付けた状態で固定することができる。このため、プロテクト部材やビスを用いなくても、外装部材を腕時計ケースにガタつくことなく確実に且つ良好に固定することができ、しかも一対のケース側取付孔と外装側取付孔とから固定部材を抜き出すことにより、簡単に且つ容易に外装部材を腕時計ケースから取り外すことができる。
【００１１】
請求項２に記載の発明によれば、請求項１に記載の発明と同様、腕時計ケースの一対のケース側取付孔と外装部材の外装側取付孔とに固定部材を挿入させると、外装側取付孔のストレート部によって固定部材が外装部材を腕時計ケースに装着する方向に向けて位置規制されるので、固定部材をケース側取付孔と外装側取付孔とにガタつくことがなく挿入させることができ、これにより外装部材を腕時計ケースに装飾部材を挟み付けた状態で固定することができるので、プロテクト部材やビスを用いなくても、外装部材を腕時計ケースにガタつくことなく確実に且つ良好に固定することができると共に、一対のケース側取付孔と外装側取付孔とから固定部材を抜き出すことにより、簡単に且つ容易に外装部材を腕時計ケースから取り外すことができるほか、特に装飾部材の一部が外装部材の外部に露呈するので、この露呈した装飾部材によって装飾効果を付加することができると共に、一対のケース側取付孔と外装側取付孔とから固定部材を抜き出して装飾部材を交換することにより、変化に富んだ装飾効果を得ることができる。
【００１２】
請求項３に記載の発明によれば、請求項２に記載の発明と同様の作用効果があるほか、特に装飾部材に押釦スイッチを設けたことにより、装飾部材によって装飾効果を付加する以外に、スイッチ機能をも付加することができ、これにより、より一層の多機能化を図ることができる。
【００１３】
請求項４に記載の発明によれば、請求項１または２に記載の発明と同様の作用効果があるほか、特に腕時計ケースの一対のケース側取付凸部に時計バンドが固定部材によって取り付けられることにより、時計バンドの取付構造をも兼用することができ、このためプロテクト部材やビスなどの締結専用の部品を追加する必要がないので、部品点数の削減を図り、低コスト化をも図ることができる。
【発明を実施するための最良の形態】
【００１４】
（実施形態１）
以下、図１〜図８を参照して、この発明を適用した実施形態１について説明する。
図１はこの発明の腕時計を示した斜視図、図２はその分解斜視図、図３〜図８はその腕時計におけるベゼルの固定構造を概略的に示した図である。
この腕時計は、腕時計ケース１と、この腕時計ケース１の外表面に装着されるベゼル２とを備えている。腕時計ケース１は、その上面部に時計ガラス（図示せず）が取り付けられ、内部に時計モジュール（図示せず）が収納され、下面に裏蓋（図示せず）が取り付けられるように構成されている。
【００１５】
この場合、腕時計ケース１の上面部には、図１および図２に示すように、時計ガラスが装着するガラス装着部３が設けられている。また、この腕時計ケース１の外周面における３時側と９時側とには、それぞれ押釦（図示せず）が取り付けられる釦取付部４が設けられており、この腕時計ケース１の外周面における１２時側と６時側とには、それぞれ時計バンド１５を取り付けるためのバンド取付部５が設けられている。このバンド取付部５は、図５および図６に示すように、腕時計ケース１の側面に設けられた一対のケース側取付凸部６、６からなり、この一対のケース側取付凸部６、６には、ばね棒７が挿入するほぼ円形状のケース側取付孔８、８が互いに対向して設けられている。
【００１６】
一方、ベゼル２は、図１および図２に示すように、腕時計ケース１のガラス装着部３および釦取付部４を除いて、腕時計ケース１の外周面に装着されるように構成されている。すなわち、このベゼル２は、図２に示すように、全体がほぼリング状に形成されている。このベゼル２の上面部には、腕時計ケース１のガラス装着部３に対応する開口部９が設けられており、３時側と９時側とに対応するベゼル２の側面には、腕時計ケース１の釦取付部４に対応して凹部１０が設けられている。また、このベゼル２の１２時側と６時側との各側面の下部には、図７および図８に示すように、腕時計ケース１のバンド取付部５に対応してベゼル側取付凸部１１が設けられている。
【００１７】
このベゼル側取付凸部１１は、図３に示すように、ベゼル２が腕時計ケース１に装着されたときに、バンド取付部５の一対のケース側取付凸部６、６間に配置される。また、このベゼル側取付凸部１１には、一対のケース側取付凸部６、６のケース側取付孔８、８に対応するベゼル側取付孔１２が設けられており、このベゼル側取付孔１２の内周面の一部、つまり内周面における下部には、図４および図８に示すように、ベゼル２が腕時計ケース１に装着する方向に向けてばね棒７を位置規制するためのストレート部１３が設けられている。この場合、ベゼル２と腕時計ケース１との間には、図２、図５および図６に示すように、ゴムなどの軟質材料からなる緩衝体１４が配置されている。
【００１８】
ところで、ばね棒７は、図３および図４に示すように、バンド取付部５の一対のケース側取付凸部６、６間にベゼル２のベゼル側取付凸部１１が配置された状態で、一方のケース側取付凸部６のケース側取付孔８から挿入されて、ベゼル側取付凸部１１のベゼル側取付孔１２に挿入された上、他方のケース側取付凸部６のケース側取付孔８に挿入され、これによりベゼル２を腕時計ケース１に固定するように構成されている。この場合、ばね棒７は、その両端部が一対のケース側取付凸部６、６の各ケース側取付孔８、８から突出し、この突出した両端部に時計バンド１５の端部が取り付けられるように構成されている。
【００１９】
このような腕時計では、腕時計ケース１の外周面に緩衝体１４を介してベゼル２を装着し、腕時計ケース１の一対のケース側取付凸部６、６間にベゼル２のベゼル側取付凸部１１を配置すると共に、一対のケース側取付凸部６、６に互いに対応して設けられたケース側取付孔８、８とベゼル側取付凸部１１に設けられたベゼル側取付孔１２とを対応させ、この状態で腕時計ケース１のケース側取付孔８とベゼル２のベゼル側取付孔１２とにばね棒７を挿入させると、ベゼル側取付孔１２に設けられたストレート部１３によってばね棒７がベゼル２を腕時計ケース１に装着させる方向に向けて位置規制される。
【００２０】
すなわち、ばね棒７は、一対のケース側取付凸部６、６のケース側取付孔８、８とベゼル側取付凸部１１のベゼル側取付孔１２とに挿入すると、ベゼル側取付孔１２のストレート部１３に当接してベゼル２を腕時計ケース１に装着させる方向に向けて付勢し、これによりばね棒７の両側がケース側取付孔８、８の内面に押し付けられて位置規制されるので、ばね棒７を一対のケース側取付孔８、８とベゼル側取付孔１２とにガタつくことなく挿入させることができる。
【００２１】
これにより、ベゼル２を腕時計ケース１に緩衝体１４を挟み付けた状態で固定することができる。このため、従来のプロテクト部材やビスを用いなくても、ベゼル側取付孔１２にストレート部１３を設けるだけで、ばね棒７の取付作業性を損なわずに、ベゼル２を腕時計ケース１にガタつくことなく確実に且つ良好に固定することができる。
また、この腕時計では、腕時計ケース１の一対のケース側取付孔８、８とベゼル２のベゼル側取付孔１２とからばね棒７を抜き出すことにより、簡単に且つ容易にベゼル２を腕時計ケース１から取り外すことができ、これによりベゼル２を容易に交換することができる。
【００２２】
さらに、この腕時計では、腕時計ケース１のバンド取付部５に一対のケース側取付凸部６、６を設け、この一対のケース側取付凸部６、６に設けられたケース側取付孔８、８にばね棒７を挿入させて取り付けると、このばね棒７の両端部が一対のケース側取付凸部６、６から突出するので、この突出したばね棒７の両端部に時計バンド１５の端部を取り付けることができる。このため、ベゼル２の固定構造で時計バンド１５の取付構造をも兼用することができると共に、従来のようなプロテクト部材やビスなどの締結専用の部品を追加する必要がないので、部品点数の削減および構造の簡素化を図り、低コスト化をも図ることができる。
【００２３】
（実施形態２）
次に、図９および図１０を参照して、この発明を適用した実施形態２について説明する。
図９はこの発明の腕時計における要部を分解した斜視図、図１０はそのＡ−Ａ矢視における断面図である。
この腕時計は、図９および図１０に示すように、腕時計ケース２０と、この腕時計ケース２０に装着されるベゼル２１と、このベゼル２１と腕時計ケース２０との間に配置されて一部がベゼル２１の外部に露呈する装飾部材２２と、腕時計ケース２０にベゼル２１を固定するばね棒２３とを備えている。
【００２４】
腕時計ケース２０は、図９に示すように、全体がほぼ四角形の箱状に形成されており、その内部には時計モジュール（図示せず）が収納されている。この腕時計ケース２０の上面には、時刻表示部２４が１２時側（図９では左側）に寄って設けられていると共に、その６時側（同図では右側）に一段低い段差凹部２０ａが設けられている。また、この腕時計ケース２０の１２時側と６時側との各側面には、時計バンド１５を取り付けるためのバンド取付部２５がそれぞれ設けられている。このバンド取付部２５は、図９および図１０に示すように、腕時計ケース２０の側面に設けられた一対のケース側取付凸部２６、２６からなり、この一対のケース側取付凸部２６、２６には、ばね棒２３が挿入するほぼ円形状のケース側取付孔２７、２７が互いに対向して設けられている。
【００２５】
ベゼル２１は、図９に示すように、腕時計ケース２０に上方から装着するほぼ箱状に形成されている。この場合、ベゼル２１の上面には、腕時計ケース２０の時刻表示部２４に対応する表示開口部２８が設けられていると共に、その６時側（図９では右側）には、装複数の装飾孔２９が上下に貫通して設けられている。この複数の装飾孔２９は、長方形状や円形状などの異なる形状に形成されている。また、このベゼル２１の１２時側と６時側とには、図９および図１０に示すように、ベゼル側取付凸部３０が腕時計ケース２０のバンド取付部２５に対応して設けられている。
【００２６】
このベゼル側取付凸部３０は、図１０に示すように、ベゼル２１が腕時計ケース２０に装着されたときに、バンド取付部５２の一対のケース側取付凸部２６、２６間に配置される。また、このベゼル側取付凸部３０には、一対のケース側取付凸部２６、２６の各ケース側取付孔２７、２７に対応するベゼル側取付孔３１が設けられており、このベゼル側取付孔３１の内周面の一部、つまり内周面における下部には、図９および図１０に示すように、ベゼル２が腕時計ケース１に装着する方向に向けてばね棒２３を位置規制するためのストレート部３２が設けられている。
【００２７】
一方、装飾部材２２は、実施形態１の緩衝体１４と同様、ゴムなどの軟質材料からなり、図９に示すように、平板部３３上に複数の装飾突起部３４を一体に形成した構造で、平板部３３が腕時計ケース２０の段差凹部２０ａ上に配置されるように構成されている。この場合、複数の装飾突起部３４は、長方形状や円形状など形状の異なる柱状に形成され、腕時計ケース２０とベゼル２１との間に配置されたときに、ベゼル２１に設けられた複数の装飾孔２９に挿入されてベゼル２１の外部に露呈するように構成されている。
【００２８】
また、ばね棒２３は、図１０に示すように、バンド取付部２５の一対のケース側取付凸部２６、２６間にベゼル２１のベゼル側取付凸部３０が配置された状態で、一方のケース側取付凸部２６のケース側取付孔２７から挿入されて、ベゼル側取付凸部３０のベゼル側取付孔３１に挿入された上、他方のケース側取付凸部２６のケース側取付孔２７に挿入され、これによりベゼル２１を腕時計ケース２０に固定するように構成されている。この場合にも、ばね棒２３は、その両端部が一対のケース側取付凸部２６、２６の各ケース側取付孔２７、２７から突出し、この突出した両端部に時計バンド１５の端部が取り付けられるように構成されている。
【００２９】
このような腕時計では、腕時計ケース２０に装飾部材２２を介してベゼル２１を配置し、腕時計ケース２０の一対のケース側取付凸部２６、２６間にベゼル２１のベゼル側取付凸部３０を配置すると共に、ケース側取付凸部２６に設けられたケース側取付孔２７とベゼル側取付凸部３０に設けられたベゼル側取付孔３１とを対応させ、この状態で腕時計ケース２０のケース側取付孔２７とベゼル２１のベゼル側取付孔３１とにばね棒２３を挿入させると、ベゼル側取付孔３１に設けられたストレート部３２によってばね棒２３がベゼル２１を腕時計ケース２０に装着させる方向に向けて位置規制されるので、実施形態１と同様、このばね棒２３をケース側取付孔２７とベゼル側取付孔３１とにガタつくことなく挿入させることができる。
【００３０】
これにより、ベゼル２１を腕時計ケース２０に装飾部材２２を挟み付けた状態で固定することができる。このため、この腕時計においても、実施形態１と同様、従来のプロテクト部材やビスを用いなくても、ベゼル側取付孔３１にストレート部３２を設けるだけで、ばね棒２３の取付時におけるばね棒２３の取付作業性を損なわずに、ベゼル２１を腕時計ケース２０にガタつくことなく確実に且つ良好に固定することができる。
【００３１】
この場合にも、腕時計ケース２０のケース側取付孔２７とベゼル２１のベゼル側取付孔３１とからばね棒２３を抜き出すことにより、簡単に且つ容易にベゼル２１を腕時計ケース２０から取り外すことができ、これによりベゼル２１を容易に交換することができる。また、ばね棒７の両端部が一対のケース側取付凸部６、６から突出するので、この突出したばね棒７の両端部に時計バンド１５の端部を取り付けることができる。このため、ベゼル２の固定構造で時計バンド１５の取付構造をも兼用することができる
【００３２】
また、この腕時計では、装飾部材２２が平板部３３上に複数の装飾突起部３４を一体に形成した構造で、複数の装飾突起部３４が長方形状や円形状などの異なる形状の柱状に形成され、腕時計ケース２０とベゼル２１との間に配置されたときに、ベゼル２１に設けられた複数の装飾孔２９に挿入されてベゼル２１の外部に露呈しているので、この露呈した装飾部材２２の装飾突起部３４によって装飾効果を付加することができると共に、一対のケース側取付孔２６、２６と外装側取付孔３１とからばね棒２３を抜き出してベゼル２１を取り外すことにより、装飾部材２２を容易に交換することができるので、変化に富んだ装飾効果を得ることができる。
【００３３】
この場合、装飾部材２２の装飾突起部３４がそれぞれ異なる色で形成されていれば、色彩的な装飾効果を付加することができ、また装飾突起部３４が金属で形成されていたり、あるいは表面に金属めっきが施されたりしていれば、金属調の装飾効果を付加することができ、また装飾部材２２が透明な樹脂で形成されていれば、スケルトン状態のような装飾効果を付加することができ、さらにこれらを組み合わせることにより、より一層、変化に富んだ装飾効果を得ることができる。
【００３４】
なお、上記実施形態２では、装飾部材２２が１つの部材で構成されている場合について述べたが、これに限らず、例えば図１１に示すように、装飾部材２２を２つに分割してそれぞれ腕時計ケース２０とベゼル２１との間に別々に配置するように構成しても良い。このようにすれば、実施形態２と同様の作用効果があるほか、特に２つに分割された各部材をそれぞれ別々に交換することにより、より一層、変化に富んだ装飾効果を得ることができる。また、必ずしも装飾部材２２を２つに分割する必要はなく、３つ以上に分割しても良い。
【００３５】
（実施形態３）
次に、図１２および図１３を参照して、この発明を適用した実施形態３について説明する。なお、図９および図１０に示された実施形態２と同一部分には同一符号を付して説明する。
この腕時計は、腕時計ケース２０とベゼル２１との間に配置される装飾部材４０に押釦スイッチ４１を設けた構造で、これ以外は実施形態２とほぼ同じ構造になっている。
【００３６】
この場合、ベゼル２１には、押釦スイッチ４１が挿入するスイッチ孔４２が設けられている。装飾部材４０は、基板４３上に押釦スイッチ４１を設けた構造で、腕時計ケース２０とベゼル２１との間に装飾部材４０が配置されたときに、押釦スイッチ４１がベゼル２１のスイッチ孔４２に挿入してベゼル２１の外部に露呈し、この状態でベゼル２１の外部からスイッチ操作ができるように構成されている。
【００３７】
このような腕時計では、実施形態２と同様、ベゼル２１から露呈した装飾部材４０の押釦スイッチ４１によって装飾効果を付加することができるほか、この押釦スイッチ４１をベゼル２１の外部からスイッチ操作することができるので、スイッチ機能をも付加することができ、これにより、より一層の多機能化を図ることができる。
【図面の簡単な説明】
【００３８】
【図１】この発明を適用した腕時計の外観斜視図である。（実施形態１）
【図２】図１において腕時計ケースとベゼルとを分解した斜視図である。
【図３】図１の腕時計におけるベゼルの固定構造を概略的に示した正面図である。
【図４】図３のＡ−Ａ矢視における拡大断面図である。
【図５】図２の腕時計ケースのバンド取付部を示した正面図である。
【図６】図５の側面図である。
【図７】図２のベゼルのベゼル側取付凸部側を示した正面図である。
【図８】図７の側面図である。
【図９】この発明を適用した腕時計の分解斜視図である。（実施形態２）
【図１０】図９のＢ−Ｂ矢視における拡大断面図である。
【図１１】図９の装飾部材の変形例を示した斜視図である。
【図１２】この発明を適用した腕時計の分解斜視図である。（実施形態３）
【図１３】図１２のＣ−Ｃ矢視における拡大断面図である。
【符号の説明】
【００３９】
１、２０  腕時計ケース
２、２１  ベゼル
６、２６  ケース側取付凸部
７、２３  ばね棒
８、２７  ケース側取付孔
１１、３０  ベゼル側取付凸部
１２、３１  ベゼル側取付孔
１３、３２  ストレート部
１４  緩衝体
１５  時計バンド
２２、４０  装飾部材
２９  装飾孔
３４  装飾突起部
４１  押釦スイッチ
【図１】
2005070002.tif 000003
【図２】
2005070002.tif 000004
【図３】
2005070002.tif 000005
【図４】
2005070002.tif 000006
【図５】
2005070002.tif 000007
【図６】
2005070002.tif 000008
【図７】
2005070002.tif 000009
【図８】
2005070002.tif 000010
【図９】
2005070002.tif 000011
【図１０】
2005070002.tif 000012
【図１１】
2005070002.tif 000013
【図１２】
2005070002.tif 000014
【図１３】
2005070002.tif 000015